(57)【要約】【課題】回転式電子部品を上下複数段に設置することができ、構造が簡単で小型化も図れる多重回転式電子部品を提供する。【解決手段】両面を取付面１１，２１とする取付板１０を具備する。取付板１０の一方の取付面１１側に、第一摺接パターン１３１を形成した第一基板１３０上に第一回転型物１４０を回動自在に設置してなる第一回転式電子部品１００と、第二摺接パターン２１１を形成した第二基板２１０上に第二回転型物２２０を回動自在に設置してなる第二回転式電子部品２００とを、第一，第二回転型物１４０，２２０の回転中心軸が一致するように積層して配置する。取付板１０の他方の取付面２１側に、第三摺接パターン３２５を形成した第三基板３２０上に第三回転型物３３０を回動自在に設置してなる第三回転式電子部品３００を、第三回転型物３３０の回転中心軸が第一，第二回転型物１４０，２２０の回転中心軸と一致するように配置する。【選択図】      図１
2005019031.tif 000002
【特許請求の範囲】
【請求項１】
取付板の両面を取付面とし、一方の取付面側に一又は複数の回転式電子部品を、他方の取付面側に一又は複数の回転式電子部品を、各回転式電子部品の回転中心軸が一致するように配置したことを特徴とする多重回転式電子部品。
【請求項２】
前記取付板の何れか一方の取付面から前記回転中心軸と一致する軸を突出して設け、この軸に前記回転式電子部品を軸支したことを特徴とする請求項１に記載の多重回転式電子部品。
【請求項３】
前記取付板の軸を設けていない取付面側に、第一回転式電子部品と第二回転式電子部品とを積層して配置すると共に、
前記取付板の軸を設けた取付面側に、前記軸に回動自在に軸支してなる第三回転式電子部品を配置したことを特徴とする請求項２に記載の多重回転式電子部品。
【請求項４】
前記第三回転式電子部品は、第三摺接パターンを設けた第三基板上に前記軸に回動自在に軸支した第三回転型物を設置して構成され、
さらに前記第三基板はフレキシブル基板であり、
前記取付板の軸を取り付けた側の取付面と第三基板の間には、第三基板を載置する載置台が設置されることを特徴とする請求項３に記載の多重回転式電子部品。
【発明の詳細な説明】
【０００１】
【発明の属する技術分野】
本発明は、同軸上に二つ以上の回転式電子部品を設置してなる多重回転式電子部品に関するものである。
【０００２】
【従来の技術】
近年ビデオカメラやデジタルスチルカメラ等の携帯機器においては、その小型化のため、これを操作する各種スイッチ類を一ヶ所に集積化する傾向にある。即ち従来は所望の機能を発揮する複数の回転つまみを機器の別々の場所に設置していたものを、一ヶ所にまとめて設置する必要が生じるようになってきており、このため複数の回転式電子部品を上下に重ねて設置することが求められている。
【０００３】
しかしながら多重に（特に三重以上に）設置した回転式電子部品を同軸上で回転できるように構成する場合、従来は一つの軸の内部に別の軸を挿入するという多重軸を用い、この多重軸を多重に設置した回転式電子部品の中央に貫通し、各軸をそれぞれ別の回転式電子部品の回転部分に固定しておくことで、何れかの軸を回転して何れかの回転式電子部品を回動操作するように構成していた（例えば特許文献１の図９）。
【０００４】
しかしながら上記構造の多重回転式電子部品では、多重軸を各回転式電子部品の内部に貫通させるので、各回転式電子部品を多重軸が貫通する部分がスペース的に無駄となって小型化が阻害されるばかりか、回転式電子部品の構造上の制限となって構造の複雑化や組み立ての煩雑化を招いてしまう等、種々の解決しなければならない問題があった。
【０００５】
【特許文献１】
実開平４−１１９９３２号公報
【０００６】
【発明が解決しようとする課題】
本発明は上述の点に鑑みてなされたものでありその目的は、回転式電子部品を上下二段以上に設置することができ、しかも構造が簡単で、小型化も図れる多重回転式電子部品を提供することにある。
【０００７】
【課題を解決するための手段】
上記問題点を解決するため本発明にかかる多重回転式電子部品は、取付板の両面を取付面とし、一方の取付面側に一又は複数の回転式電子部品を、他方の取付面側に一又は複数の回転式電子部品を、各回転式電子部品の回転中心軸が一致するように配置したことを特徴とする。
【０００８】
また本発明は、前記取付板の何れか一方の取付面から前記回転中心軸と一致する軸を突出して設け、この軸に前記回転式電子部品を軸支したことを特徴とする。
【０００９】
また本発明は、前記取付板の軸を設けていない取付面側に、第一回転式電子部品と第二回転式電子部品とを積層して配置すると共に、前記取付板の軸を設けた取付面側に、前記軸に回動自在に軸支してなる第三回転式電子部品を配置したことを特徴とする。
【００１０】
また本発明は、前記第三回転式電子部品は、第三摺接パターンを設けた第三基板上に前記軸に回動自在に軸支した第三回転型物を設置して構成され、さらに前記第三基板はフレキシブル基板であり、前記取付板の軸を取り付けた側の取付面と第三基板の間には、第三基板を載置する載置台が設置されることを特徴とする。
【００１１】
【発明の実施の形態】
以下、本発明の実施の形態を図面を参照して詳細に説明する。
図１は本実施の形態にかかる多重回転式電子部品１の概略断面図、図２，図３，図４は多重回転式電子部品１の分解斜視図であり、これらの図を合わせて多重回転式電子部品１全体の分解斜視図になるものである。図１に示すように多重回転式電子部品１は、取付板１０の両面を取付面１１，２１とし、一方の取付面１１側に第一回転式電子部品１００と第二回転式電子部品２００とを、他方の取付面２１側に第三回転式電子部品３００を、各回転式電子部品１００，２００，３００の回転中心軸が一致するように取り付けて構成されている。具体的には、第一回転式電子部品１００は、第一クリック板１２０と、第一基板１３０と、第一回転型物（第一回転つまみでもある）１４０と、軸支部材１５０とを具備して構成されている。また第二回転式電子部品２００は、第二基板２１０と、第二回転型物２２０と、第二クリック板２３０と、第二ケース２４０と、第二回転つまみ２５０とを具備して構成されている。また第三回転式電子部品３００は、載置台３１０と、第三基板３２０と、第三回転型物３３０と、第三ケース３４０とを具備して構成されている。また第一，第二，第三回転型物１４０，２２０，３３０の回転中心軸は一致している。以下各構成部品について説明する。
【００１２】
取付板１０（図１，図４参照）は合成樹脂の成形品であり、円形の板体の上下面をそれぞれ取付面１１，２１とし、下側の取付面２１の中央から前記回転中心軸と一致する筒状の軸３１を突出して構成されている。上側の取付面１１の周囲には細長形状の四つの貫通する取付部１３と、凹状の二つのクリック係合部１５とが設けられ、また中央近傍には下記する軸支部材１５０の位置決め突起１５７を挿入する二つの位置決め穴１７と、下記する載置台３１０の位置決め突起３１９を挿入する二つの位置決め穴１９とが設けられている。また下側の取付面２１の外周近傍からは下方向に向けて先端に爪２５を有する係止片２３が突出している。なお軸３１の中空の内部はネジ螺合穴３３となっている。
【００１３】
第一クリック板１２０（図１，図３参照）は金属板製であり、前記取付板１０の四つの取付部１３に対向する位置にそれぞれ貫通孔１２１を設け、また前記二つのクリック係合部１５に対向する位置にそれぞれ貫通するクリック係合部１２３を設け、また前記二つの位置決め穴１７に対向する位置にそれぞれ貫通する位置決め穴１２５を設けて構成されている。
【００１４】
第一基板１３０（図１，図３参照）はフレキシブル基板であり、略半円形状に形成されたシート部分の表面にスイッチパターンからなる第一摺接パターン１３１を設けて構成されている。第一基板１３０の外周の対向する位置からは、外部に引き出される引出部１３３と、下記する第二基板２１０に連結される連結部１３５とが引き出されている。また前記第一クリック板１２０の二つの貫通孔１２１に対向する位置にはそれぞれ貫通孔１３７が設けられ、前記二つの位置決め穴１２５に対向する位置にはそれぞれ貫通する位置決め穴１３９が設けられている。
【００１５】
第一回転型物１４０（図１，図３参照）は合成樹脂を略円板状に成形し、その中央に円形の開口１４１を設け、開口１４１の周囲に円弧状の三つ（図３では手前側の一つは図示せず）のストッパー収納部１４３を設け、さらに第一回転型物１４０の下面の所定位置に図１に示すように、前記第一基板１３０の第一摺接パターン１３１に摺接する金属板製の第一摺動子１４５と、前記第一クリック板１２０のクリック係合部１２３に係合・離脱する金属板製の第一クリックバネ１４７とを取り付けて構成されている。三つのストッパー収納部１４３の内、図３に示す右上側のストッパー収納部１４３は下記する二つのストッパー部１５９を同時に収納するように長尺に形成され、他の二つのストッパー収納部１４３はそれぞれ一つずつのストッパー部１５９を収納するように短めに形成されている。そして各ストッパー部１５９に対して各ストッパー収納部１４３は円周方向に遊びがあるので、第一回転型物１４０は所定の回転角度まで回転することができる。なお第一回転型物１４０は第一回転つまみでもあり、このためその外周から操作つまみ１４９を突出している。第一クリックバネ１４７には弾接部１４８が設けられている。
【００１６】
軸支部材１５０（図１，図３参照）は合成樹脂成形品であり、略円板状の載置部１５１の中央に円形の貫通孔からなる軸支部１５２を設け、また外周近傍に四つの貫通孔からなる取付部１５５を設け、またその下面中央から筒状の軸支部１５３を突出するとともに軸支部１５３の下面から二つの突起状の位置決め突起１５７を突出し、さらに軸支部材１５０の下面の外周近傍部分から四本のストッパー部１５９を突出し、各ストッパー部１５９の下面からさらに固定部１６１を突出して構成されている。また載置部１５１の外周には切り欠き部１６３が設けられている。
【００１７】
第二基板２１０（図１，図２参照）はフレキシブル基板であり、略円板状のフイルムを二枚重ねると共に、上側のフイルムの表面に所望のスイッチパターンからなる第二摺接パターン２１１を設け、またその中央に上下に貫通する貫通孔２１３を設け、さらに第二摺接パターン２１１の外側の前記軸支部材１５０の四つの取付部１５５の内の二つに対向する位置にそれぞれ上下に貫通する貫通孔２１５を設け、他の二つの取付部１５５に対向する位置に切り欠き２１７を設けて構成されている。さらに第二基板２１０の上下のフイルムは連結部２１９によって連結されており、また下側のフイルムは連結部１３５によって前記第一基板１３０の連結部１３５に連結されている。つまり図示の都合で切断して示しているが実際は第一基板１３０と第二基板２１０は連結部１３５によって連結されている。第二基板２１０を二重のフイルム板で構成したのは、前記第一基板１３０の第一摺接パターン１３１形成面と、第二基板２１０の第二摺接パターン２１１形成面とを同一面にして、フイルムの一方の面だけにパターンを形成するだけでよくしてその製造を容易にするためであり、フイルムの両面にパターンを設ける場合や、フイルムの折り重ね構造によっては、第二基板２１０を一枚のフイルムで構成しても良い。
【００１８】
第二回転型物２２０（図１，図２参照）は合成樹脂を略板状に成形して構成されており、その上面中央からは突起部２２１を突出し、突起部２２１の周囲に二つの切り欠き２２３を設け、切り欠き２２３内部に小突起２２５を設け、また突起部２２１の上面に三つの貫通する円弧状の孔からなる係合部２２７を設け、一方第二回転型物２２０の下面中央から突起２２９（図１参照）を突出して構成されている。また第二回転型物２２０の下面には、弾性金属板からなる第二摺動子２６０が固定されている。
【００１９】
第二クリック板２３０（図１，図２参照）は金属板をリング状に形成して構成されており、等間隔にクリック係合穴２３１を設け、また中央の孔２３３に向けて二つの舌片状の突起２３５を突出し、その中に小孔２３７を設けて構成されている。この第二クリック板２３０は第二回転型物２２０の上面に載置されることで、第二回転型物２２０の突起部２２１が孔２３３に挿入され、その際各突起２３５は切り欠き２２３に係合し、小突起２２５は小孔２３７に挿入されて位置決めされる。
【００２０】
第二ケース２４０（図１，図２参照）は合成樹脂を下面が開放された円形の箱型に成形して構成されており、その上面中央には貫通孔からなる軸支孔２４１が設けられ、また第二ケース２４０の下面の外周近傍からは四つの小突起２４３を突出している。また図１に示すように第二ケース２４０の下面には、弾性金属板からなる第二クリックバネ２７０が取り付けられている。第二クリックバネ２７０には前記第二クリック板２３０のクリック係合穴２３１に弾接する弾接部２７１が設けられている。
【００２１】
第二回転つまみ２５０（図１，図２参照）は合成樹脂を円形に成形して構成されており、その下面に前記第二ケース２４０を覆う形状の凹部２５１を設け、またその下面中央付近から三本の軸支兼係止突起２５３を突出している。三本の軸支兼係止突起２５３は何れも円弧状で、その外周側面が全体として円を形成することで、第二ケース２４０の軸支孔２４１に回転自在に挿入・軸支され、且つその先端が前記第二回転型物２２０の係合部２２７に挿入されるように構成されている。第二回転つまみ２５０の外周側面はつまみ部２５５となっている。
【００２２】
載置台３１０（図１，図４参照）は合成樹脂を成形して構成されており、その下部に板状の基板載置部３１１を設け、またその上面から略筒状の側壁３１３を突出し、中央には前記取付板１０の軸３１を貫通する円形の貫通孔３１５を設け、また側壁３１３と貫通孔３１５の間をつなぐ補強壁３１７上に二つの位置決め突起３１９を設けて構成されている。
【００２３】
第三基板３２０（図１，図４参照）はフレキシブル基板であり、前記載置台３１０の基板載置部３１１の外形と略同一円板形状に形成され、その外周から引出部３２１を引き出して構成されている。第三基板３２０の中央には前記載置台３１０の貫通孔３１５と同一内径の貫通孔３２３が設けられ、またその下面には同芯円状のスイッチパターンからなる第三摺接パターン３２５が形成されている。
【００２４】
第三回転型物３３０（図１，図４参照）は、合成樹脂を略円板状に成形して構成されており、中央には前記取付板１０の軸３１を回動自在に貫通する円形の貫通孔３３１が設けられ、また下面に設けた円形の凹部３３３の内周側面に全周にわたって凹凸状のクリック係合部３３５を設けて構成されている。また第三回転型物３３０の上面には第三摺動子２８０が取り付けられている。第三回転型物３３０の外周側面はつまみ部３３７となっている。
【００２５】
第三ケース３４０（図１，図４参照）は、合成樹脂を略円板状に成形して構成されており、その中央上面には円形凹状の軸支持部３４１が設けられ、軸支持部３４１の中央には貫通するネジ挿入孔３４２が設けられ、軸支持部３４１の外周からは半径方向外側に向かってクリックバネ収納溝３４３が設けられ、またその上面の外周の一部には上方向に突出する側壁３４５が設けられ、さらに側壁３４５の所定位置には孔からなる係止部３５７が設けられている。そしてクリックバネ収納溝３４３にはコイルスプリングからなるクリックバネ２９０が収納され、クリックバネ２９０の先端にはクリック用ボール２９５が設置されている。
【００２６】
次にこの多重回転式電子部品１の組立方法を説明する。まず第二回転つまみ２５０の下面に、第二クリックバネ２７０を取り付けた第二ケース２４０を設置する。このとき第二回転つまみ２５０の軸支兼係止突起２５３を第二ケース２４０の軸支孔２４１に回動自在に挿入して軸支する。
【００２７】
次に第二ケース２４０の下面に、第二クリック板２３０と第二摺動子２６０とを取り付けた第二回転型物２２０を収納するが、その際第二回転つまみ２５０の三つの軸支兼係止突起２５３を第二回転型物２２０の三つの係合部２２７に挿入し、各軸支兼係止突起２５３の先端を熱カシメすることで第二回転つまみ２５０と第二回転型物２２０とを一体に固定する。
【００２８】
次に第二回転型物２２０の下側に、第二基板２１０と軸支部材１５０とを配置し、その際第二ケース２４０下面の各小突起２４３を、第二基板２１０の各貫通孔２１５及び各切り欠き２１７を介して軸支部材１５０の各取付部１５５に挿入してその裏面側で熱カシメして固定する。このとき第二回転型物２２０下面の突起２２９は第二基板２１０の貫通孔２１３と軸支部材１５０の軸支部１５２に挿入され、回動自在に軸支される。
【００２９】
次に第二基板２１０から引き出した連結部１３５の部分を軸支部材１５０の外周の切り欠き部１６３で下側に折り曲げ、第二基板２１０に連結している第一基板１３０を第一回転型物１４０の長尺のストッパー収納部１４３内に通して第一基板１３０を第一回転型物１４０の下側に位置させた上で、軸支部材１５０の下側に第一回転型物１４０を配置し、その際軸支部材１５０の軸支部１５３を開口１４１に挿入して第一回転型物１４０を回動自在に軸支すると共に、軸支部材１５０の四本のストッパー部１５９を三つのストッパー収納部１４３に挿入する。このとき長尺の一つのストッパー収納部１４３には二つのストッパー部１５９が挿入され、これら両ストッパー部１５９の間に前記連結部１３５が挿入された状態となる。
【００３０】
次に第一回転型物１４０の下側に位置している第一基板１３０の下側に第一クリック板１２０を載置した取付板１０を配置し、その際第一回転型物１４０を貫通した軸支部材１５０の位置決め突起１５７を第一基板１３０の位置決め穴１３９と第一クリック板１２０の位置決め穴１２５と取付板１０の位置決め穴１７に挿入して各部材の位置決めを行うと共に、第一回転型物１４０を貫通した軸支部材１５０の四本のストッパー部１５９を第一基板１３０の貫通孔１３７と第一クリック板１２０の貫通孔１２１と取付板１０の取付部１３に挿入して各ストッパー部１５９下端の固定部１６１を熱カシメしてこれら各部材を一体化する。
【００３１】
これにより取付板１０の軸３１を設けていない取付面１１側に第一回転式電子部品１００と第二回転式電子部品２００とを積層して配置したことになる。
【００３２】
次に取付板１０の下側に、その下面に第三基板３２０を取り付けた載置台３１０を配置する。その際取付板１０の軸３１を載置台３１０の貫通孔３１５と第三基板３２０の貫通孔３２３に挿通し、また載置台３１０の位置決め突起３１９を取付板１０の位置決め穴１９に挿入する。
【００３３】
次に第三基板３２０の下側に、第三摺動子２８０を取り付けた第三回転型物３３０を配置する。その際取付板１０の軸３１を第三回転型物３３０の貫通孔３３１に回動自在に挿入する。
【００３４】
次に第三回転型物３３０の下側に第三ケース３４０を配置し、その際取付板１０の軸３１の先端を第三ケース３４０の軸支持部３４１に挿入し、同時に取付板１０の爪２５を側壁３４５の係止部３５７に係止し、さらに第三ケース３４０の下面側からそのネジ挿入孔３４２に固定用ネジ３４９を挿入して軸３１のネジ螺合穴３３に螺合し、これによって第三ケース３４０と取付板１０の間に第三回転式電子部品３００の各部品を固定する。なおこのとき第三ケース３４０に設置したクリック用ボール２９５は、第三回転型物３３０のクリック係合部３３５にクリックバネ２９０の弾発力によって弾接される。
【００３５】
これにより取付板１０の軸３１を設けた取付面２１側に前記軸３１に回動自在に軸支してなる第三回転式電子部品３００を配置したことになる。
【００３６】
以上のようにして組み立てられた多重回転式電子部品１は、両面を取付面１１，２１として、一方の取付面２１から軸３１を突出して設けた取付板１０において、取付板１０の軸３１を設けていない取付面１１側に、第一基板１３０上に第一回転型物１４０を回動自在に設置してなる第一回転式電子部品１００と、第二基板２１０上に第二回転型物２２０を回動自在に設置してなる第二回転式電子部品２００とを、第一，第二回転型物１４０，２２０のそれぞれの回転中心軸が一致するように積層して配置し、さらに取付板１０の軸３１を設けた取付面２１側に、第三基板３２０上に第三回転型物３３０を回動自在に設置してなる第三回転式電子部品３００を、第三回転型物３３０の回転中心軸が前記第一，第二回転型物１４０，２２０の回転中心軸と一致するように配置して構成されている。換言すれば、一方の取付面１１側に第一回転式電子部品１００と第二回転式電子部品２００とを、他方の取付面２１側に第三回転式電子部品３００を取り付ける取付板１０を設置したので、従来のように多重回転軸を多重に設置した回転式電子部品の中央を貫くように設置する必要がなく、構造が簡単で小型化が図れ、多数の機能を有する多重（三重）回転式電子部品１を少ない設置面積で機器に取り付けることができる。
【００３７】
特にこの多重回転式電子部品１においては、取付板１０の一方の取付面２１から軸３１を突出して設け、この軸３１を設けていない側の取付面１１に、第一回転式電子部品１００と第二回転式電子部品２００とを積層して配置し、軸３１を設けた側の取付面２１に、第三基板３２０上に軸３１で回動自在に軸支した第三回転型物３００を設置した第三回転式電子部品３００を配置したので、取付板１０両側の取付面１１，２１を回転式電子部品の取り付けに有効に利用でき、前述のように多数の機能を有する多重（三重）回転式電子部品１を少ない設置面積で機器に取り付けることができるばかりか、軸３１を第三回転式電子部品３００の構成要素の一部に用いることで、さらにその構造を簡単にでき部品点数の削減が図れる。
【００３８】
また上記実施の形態において載置台３１０を設置したのは以下の理由による。即ち取付板１０の上下の取付面１１，２１は、これらの面にそれぞれ各種部品を取り付ける等するため、その表面を平面状にしにくい。このため取付面１１側は第一クリック板１２０を載置することでその表面を平面状にした上でその上に第一基板１３０を載置することとし、一方取付面２１側は載置台３１０を載置して載置台３１０の基板載置部３１１の平面状とした表面の上に第三基板３２０を載置することとしたのである。これにより、たとえ第三基板３２０がフレキシブル基板であっても、取付面２１と第三基板３２０の間に載置台３１０を設置することで、容易且つ確実に第三基板３２０を平面上に設置することができる。
【００３９】
また上記実施の形態においては、軸３１の先端に、第三回転型物３３０を覆ってその抜けを防止する第三ケース３４０を取り付けたので、第三回転式電子部品３００を構成する各部品が軸３１から抜け出るのを防止できると同時に、第三回転型物３３０を覆うことで外部からの外力に対して第三回転式電子部品３００の内部の保護が図れる。
【００４０】
次にこの多重回転式電子部品１の動作を説明する。図１において第二回転つまみ２５０を回転すると、これと一体に第二回転型物２２０が回転し、第二摺動子２６０が第二基板２１０の第二摺接パターン２１１上を摺動してそのオンオフ状態を変化すると同時に、第二クリックバネ２７０の弾接部２７１が第二クリック板２３０のクリック係合穴２３１へ係合・離脱することでクリック感覚を生じる。
【００４１】
次に第一回転型物１４０を回転すると、これと一体に第一摺動子１４５及び第一クリックバネ１４７が回転し、第一摺動子１４５が第一基板１３０の第一摺接パターン１３１上を摺動してそのオンオフ状態を変化すると同時に、第一クリックバネ１４７の弾接部１４８が第一クリック板１２０のクリック係合部１２３に係合・離脱することでクリック感覚を生じる。なお第一回転型物１４０の回転範囲は、軸支部材１５０に設けたストッパー部１５９が第一回転型物１４０のストッパー収納部１４３内を移動する範囲に規制される。
【００４２】
次に第三回転型物３３０を回動すると、これと一体に第三摺動子２８０が回転し、第三摺動子２８０が第三基板３２０の第三摺接パターン３２５上を摺動してそのオンオフ状態を変化する。同時にクリック用ボール２９５が第三回転型物３３０のクリック係合部３３５の凹凸に係合・離脱することでクリック感覚を生じる。
【００４３】
以上本発明の実施の形態を説明したが、本発明は上記実施の形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施の形態では取付板１０に軸３１を設けたが、必ずしも軸３１は必要なく、これを省略しても良い。また上記実施の形態で、取付板１０の軸３１に取り付く回転式電子部品３００を一つ、軸３１を設けていない取付面１１側に二つの回転式電子部品１００，２００を取り付けたが、両取付面１１，２１に取り付く回転式電子部品は一つ以上であれば、その数は問わない。
【００４４】
また第一基板１３０と第二基板２１０と第三基板３２０とを一枚のフイルム上に形成しても良い。
【００４５】
【発明の効果】
以上詳細に説明したように本発明によれば以下のような優れた効果を有する。▲１▼一方の取付面側に一又は複数の回転式電子部品を、他方の取付面側に一又は複数の回転式電子部品を配置する取付板を設置したので、従来のように多重回転軸を多重に設置した回転式電子部品の中央を貫くように設置する必要がなく、構造が簡単で小型化が図れ、多数の機能を有する多重回転式電子部品を少ない設置面積で機器に取り付けることができる。
【００４６】
▲２▼取付板の何れか一方の取付面から回転中心軸と一致する軸を突出して設け、この軸に回転式電子部品を軸支したので、取付板両側の取付面を回転式電子部品の取り付けに有効に利用でき、多数の機能を有する多重回転式電子部品を少ない設置面積で機器に取り付けることができるばかりか、軸を何れかの回転式電子部品の構成要素の一部に用いることで、さらにその構造を簡単にでき部品点数の削減が図れる。
【００４７】
▲３▼取付板の軸を設けていない取付面側に第一回転式電子部品と第二回転式電子部品とを積層して配置すると共に、取付板の軸を設けた取付面側に前記軸に回動自在に軸支してなる第三回転式電子部品を配置したので、取付板両側の取付面を回転式電子部品の取り付けに有効に利用でき、多数の機能を有する三重回転式電子部品を少ない設置面積で機器に取り付けることができるばかりか、軸を第三回転式電子部品の構成要素の一部に用いることで、さらにその構造を簡単にでき部品点数の削減が図れる。
【００４８】
▲４▼取付板の軸を取り付けた側の取付面と、第三基板の間に、第三基板を載置する載置台を設置したので、第三基板がフレキシブル基板であっても、載置台の第三基板を載置する面を平面とすることで、容易且つ確実に第三基板を平面上に設置することができる。
【図面の簡単な説明】
【図１】本発明の一実施の形態にかかる多重回転式電子部品１の概略断面図である。
【図２】多重回転式電子部品１の分解斜視図（その１）である。
【図３】多重回転式電子部品１の分解斜視図（その２）である。
【図４】多重回転式電子部品１の分解斜視図（その３）である。
【符号の説明】
１  多重回転式電子部品
１０  取付板
１１  取付面
２１  取付面
３１  軸
１００  第一回転式電子部品
１２０  第一クリック板
１３０  第一基板
１３１  第一摺接パターン
１４０  第一回転型物
１４５  第一摺動子
１４７  第一クリックバネ
１５０  軸支部材
２００  第二回転式電子部品
２１０  第二基板
２１１  第二摺接パターン
２２０  第二回転型物
２３０  第二クリック板
２４０  第二ケース
２５０  第二回転つまみ
２６０  第二摺動子
２７０  第二クリックバネ
２８０  第三摺動子
２９０  クリックバネ
２９５  クリック用ボール
３００  第三回転式電子部品
３１０  載置台
３２０  第三基板
３２５  第三摺接パターン
３３０  第三回転型物
３４０  第三ケース
３４９  固定用ネジ
【図１】
2005019031.tif 000003
【図２】
2005019031.tif 000004
【図３】
2005019031.tif 000005
【図４】
2005019031.tif 000006